(57)【要約】ユーザの動的生体信号解析に用いるための適応的ノイズ定量化システム及び関連する方法が開示される。少なくとも１つの実施形態において、システムは、ユーザの少なくとも１つの選択バイタルに関係したデータを取得し、生体信号として送信するように配置及び構成された、生体信号センサと、ユーザのモーションレベルに関係したデータを取得し、モーション信号として送信するように配置及び構成された、モーションセンサを含む。コンピューティングデバイスは、生体信号及びモーション信号を受信及び処理するように構成される。【選択図】図１
2018525187.tif 000002
【特許請求の範囲】
【請求項１】
ユーザの動的生体信号解析において適応的にノイズを定量化するための方法であって、
少なくとも１つのモーションセンサによって取り込まれた少なくとも１つのモーション信号をコンピューティングデバイスに送信するステップと、前記モーション信号は、ユーザのモーションレベルに関係したデータを含み、
少なくとも１つの生体信号センサによって取り込まれた少なくとも１つの生体信号を前記コンピューティングデバイスに送信するステップと、前記生体信号は、ユーザの少なくとも１つの選択バイタルに関係したデータを含み、
前記少なくとも１つのモーション信号に基づいてユーザのモーションステージを判定するステップと、
使用に不適切と判定された前記生体信号のいずれかの部分を廃棄するステップと、
前記生体信号の残りの部分から前記少なくとも１つの選択バイタルを抽出するステップと、
各少なくとも１つの選択バイタルに関して、モルフォロジ記述子セット及び環境記述子セットのうちの少なくとも１つを含むノイズ記述子セットを計算するステップと、
前記ノイズ記述子セット及び前記ユーザのモーションステージのうちの少なくとも１つに基づいて前記少なくとも１つの選択バイタルのノイズレベル推定を生成するステップと、
前記少なくとも１つの選択バイタルのノイズレベル推定に基づいて前記生体信号のノイズレベルを計算するステップと、
を含む、方法。
【請求項２】
ユーザによって装着された装着可能デバイス上に前記少なくとも１つのモーションセンサを配置するステップをさらに含む、請求項１に記載の方法。
【請求項３】
前記少なくとも１つのモーションセンサを配置するステップが、前記ユーザによって装着された装着可能デバイス上に少なくとも１つの三軸加速度計を配置するステップをさらに含む、請求項２に記載の方法。
【請求項４】
ユーザによって装着された装着可能デバイス上に前記少なくとも１つの生体信号センサを配置するステップをさらに含む、請求項１に記載の方法。
【請求項５】
前記少なくとも１つの生体信号センサを配置するステップが、前記ユーザによって装着された装着可能デバイス上に少なくとも１つの心電図センサを配置するステップをさらに含む、請求項４に記載の方法。
【請求項６】
前記モーションステージに基づいて前記少なくとも１つのモーション信号をグループ化し、これにより、動的生体信号解析を行いながらノイズをより正確に推定、識別、及び分離することを可能にするステップをさらに含む、請求項１に記載の方法。
【請求項７】
前記生体信号の残りの部分におけるいずれかのベースライン、パワーライン、及び高周波干渉を除去するステップをさらに含む、請求項１に記載の方法。
【請求項８】
前記生体信号のノイズレベル推定を生成するために前記ユーザのモーションステージに基づいて適切なノイズ推定器を選択するステップをさらに含む、請求項１に記載の方法。
【請求項９】
ユーザの動的生体信号解析において適応的にノイズを定量化するための方法であって、
生体信号前処理モジュール、生体信号処理モジュール、及び生体信号解析モジュールのそれぞれをコンピューティングデバイス上のメモリ内に実装するステップと、
少なくとも１つのモーションセンサによって取り込まれた少なくとも１つのモーション信号を前記コンピューティングデバイスに送信するステップと、前記モーション信号は、ユーザのモーションレベルに関係したデータを含み、
少なくとも１つの生体信号センサによって取り込まれた少なくとも１つの生体信号を前記コンピューティングデバイスに送信するステップと、前記生体信号は、ユーザの少なくとも１つの選択バイタルに関係したデータを含み、
前記生体信号前処理モジュールが使用に不適切と判定された前記生体信号のいずれかの部分を廃棄するステップと、
前記生体信号処理モジュールが前記生体信号の残りの部分から前記少なくとも１つの選択バイタルを抽出するステップと、
前記生体信号処理モジュールが前記少なくとも１つのモーション信号に基づいてユーザのモーションステージを判定するステップと、
前記生体信号解析モジュールがモルフォロジ記述子セット及び環境記述子セットのうちの少なくとも１つを含むノイズ記述子セットを計算するステップと、
前記生体信号解析モジュールが前記ノイズ記述子セット及び前記ユーザのモーションステージに基づいて前記少なくとも１つの選択バイタルのノイズレベル推定を生成するステップと、
前記生体信号解析モジュールが前記少なくとも１つの選択バイタルのノイズレベル推定に基づいて前記生体信号のノイズレベルを計算するステップと、
を含む、方法。
【請求項１０】
前記生体信号前処理モジュールが前記生体信号の残りの部分におけるいずれかのベースライン、パワーライン、及び高周波干渉を除去するステップをさらに含む、請求項９に記載の方法。
【請求項１１】
前記生体信号解析モジュールが前記生体信号のノイズレベル推定を生成するために前記ユーザのモーションステージに基づいて適切なノイズ推定器を選択するステップをさらに含む、請求項９に記載の方法。
【請求項１２】
ユーザの動的生体信号解析に用いるための適応的ノイズ定量化システムであって、
ユーザの少なくとも１つの選択バイタルに関係したデータを取得し、前記データを少なくとも１つの生体信号として送信するように配置及び構成された、少なくとも１つの生体信号センサと、
ユーザのモーションレベルに関係したデータを取得し、前記データを少なくとも１つのモーション信号として送信するように配置及び構成された、少なくとも１つのモーションセンサと、
前記少なくとも１つの生体信号及びモーション信号を受信及び処理するように構成された、少なくとも１つのコンピューティングデバイスと、
前記コンピューティングデバイス上のメモリ内に存在し、使用に不適切と判定された前記生体信号のいずれかの部分を廃棄するように構成された、生体信号前処理モジュールと、
前記コンピューティングデバイス上のメモリ内に存在し、前記生体信号の残りの部分から前記少なくとも１つの選択バイタルを抽出し、前記少なくとも１つのモーション信号に基づいてユーザの現在のモーションステージを判定するように構成された、生体信号処理モジュールと、
前記コンピューティングデバイス上のメモリ内に存在し、モルフォロジ記述子セット及び環境記述子セットのうちの少なくとも１つを含むノイズ記述子セットを計算するように構成された、生体信号解析モジュールと、
を備える、適応的ノイズ定量化システム。
【請求項１３】
前記少なくとも１つの生体信号センサが、ユーザの心臓の活動に関係したデータを得るように配置及び構成された、心電図センサである、請求項１２に記載の適応的ノイズ定量化システム。
【請求項１４】
前記少なくとも１つのモーションセンサが三軸加速度計である、請求項１２に記載の適応的ノイズ定量化システム。
【請求項１５】
前記少なくとも１つの生体信号センサが、ユーザによって装着された装着可能デバイス上に配置される、請求項１２に記載の適応的ノイズ定量化システム。
【請求項１６】
前記少なくとも１つのモーションセンサが、ユーザによって装着された装着可能デバイス上に配置される、請求項１２に記載の適応的ノイズ定量化システム。
【請求項１７】
前記少なくとも１つの生体信号センサ及び前記少なくとも１つのモーションセンサが少なくとも１つのセンサアレイに一体化される、請求項１２に記載の適応的ノイズ定量化システム。
【発明の詳細な説明】
【技術分野】
【０００１】
関連出願
本出願は、２０１５年７月１４日に出願された米国特許仮出願整理番号６２／１９２，５０４の出願日への優先権を主張する及びその権利を有するものであり、さらに、同じく２０１５年７月１４日に出願されたＥＳ出願番号Ｐ２０１５３１０２６の出願日への優先権を主張する及びその権利を有するものである。上記の出願の内容が参照により本明細書に組み込まれる。
【０００２】
この特許出願の主題は、一般に、生体信号解析に関し、より具体的には、動的生体信号解析において適応的にノイズを定量化するためのシステム及び関連する方法に関する。
【背景技術】
【０００３】
出願人は、本出願で挙げられる又は言及されるいずれかの及びすべての特許及び公開された特許出願を参照により本明細書に組み込む。
【０００４】
背景として、生体信号センサは、様々な臨床上の生理的状態の評価に、例えば、限定ではなしに、心臓の状態の監視に広く用いられる生体信号を取得するのに一般的に用いられる。フォトダイオードセンサ（すなわち、フォトプレチスモグラフィ）又は電圧センサ（すなわち、心電図検査法）などのセンサは、通常、人の皮膚と接触している状態で配置され、結果として得られる生理的信号が検査される。磁気センサ（すなわち、脳磁図法）などの一部の他のセンサは、皮膚と直接接触している必要はなく、皮膚に十分に近接しているだけでよい。このようなデータは、このようなセンサの装着者の健康状態及び／又は身体状態を監視及び／又は評価するのに用いられる場合がある。
【発明の概要】
【発明が解決しようとする課題】
【０００５】
このようなセンサの使用は、信号の正確な測定を提供することができるが、限定ではなしに、安定性、ノイズ、及び／又は感度を含む、信号品質に影響することがあるいくつかの因子が存在する。これらの制限は、結果的に生体信号を破損させるモーションアーチファクトを生じる、生体信号センサとユーザとの間の相対運動に関係した因子に少なくとも部分的に起因する。これは、センサが装着可能デバイスに内蔵されるときに悪化することがある。このような状況では、センサは、例えば、限定ではなしに、特に運動における、人体への融通性及び快適さを可能にする最小限に侵襲的な様態で、装着可能なもの、例えば衣類などに一体化される必要がある。同時に、センサは、信号を正確に測定することもできなければならない。したがって、モーションアーチファクトは、装着可能デバイスに関連した生体信号感知に固有の問題であり、この困難な状況の中で生体信号を分析するために適切なツールを配置する必要がある。したがって、ノイズの多い信号に対して決定分析を行うことは解釈の誤りにつながることがあるため、生体信号の信号対ノイズ比を推定できることが非常に重要である。
【０００６】
本発明の態様は、これらの必要性を満たし、以下の課題を解決するための手段で説明されるさらなる関連した利点を提供する。
【課題を解決するための手段】
【０００７】
本発明の態様は、以下で説明される例示的な利点を生み出す構成及び使用における或る利益を教示する。
【０００８】
本発明は、動的生体信号解析に用いるための適応的ノイズ定量化システム及び関連する方法を提供することによって前述の問題を解決する。少なくとも１つの実施形態において、システムは、ユーザの選択バイタルに関係したデータを取得し、前記データを少なくとも１つの生体信号として送信するように配置及び構成された、少なくとも１つの生体信号センサと、ユーザのモーションレベルに関係したデータを取得し、前記データを少なくとも１つのモーション信号として送信するように配置及び構成された、少なくとも１つのモーションセンサを含む。少なくとも１つのコンピューティングデバイスが、少なくとも１つの生体信号及びモーション信号を受信及び処理するように構成される。モーション信号に基づいて、ユーザの現在のモーションステージが判定される。生体信号の適切な部分から、少なくとも１つの選択バイタルが抽出される。モルフォロジ記述子セット及び環境記述子セットのうちの少なくとも１つによって、ノイズ記述子セットが形成される。ノイズ推定器が、ノイズ記述子セット及びユーザのモーションステージに基づいて、生体信号のノイズレベル推定を生成する。次いで、少なくとも１つの選択バイタルのノイズレベル推定に基づいて、生体信号のノイズレベルが計算される。
【０００９】
本発明の態様の他の特徴及び利点は、本発明の態様の原理を単なる例として示す添付図と併せて行われる以下のより詳細な説明から明らかとなるであろう。
【００１０】
添付図は本発明の態様を例示する。
【図面の簡単な説明】
【００１１】
【図１】少なくとも１つの実施形態に係る例示的な適応的ノイズ定量化システムの簡単な概略図である。
【図２】少なくとも１つの実施形態に係る適応的ノイズ定量化システムのモーションセンサ及び生体信号センサのそれぞれによって取り込まれた例示的な信号の概略図である。
【図３】少なくとも１つの実施形態に係る動的生体信号解析において適応的にノイズを定量化するための例示的な方法の流れ図である。
【発明を実施するための形態】
【００１２】
前述の図面は、以下の説明でさらに詳細に定義されるその例示的な実施形態のうちの少なくとも１つにおける本発明の態様を例示する。異なる図面において同じ符号で参照される本発明の特徴、要素、及び態様は、１つ又は複数の実施形態に係る同じ、等しい、又は同様の特徴、要素、又は態様を表す。
【００１３】
ここで図１に移ると、例示的な適応的ノイズ定量化システム２０の簡単な概略図が示されている。システム２０は、少なくとも１つの実施形態において、コンピューティングデバイス２２と通信する少なくとも１つの生体信号センサ２４及びコンピューティングデバイス２２と通信する少なくとも１つのモーションセンサ２６のそれぞれを備える少なくとも１つのセンサアレイ２３によって得られた選択データを受信及び処理するように構成された、少なくとも１つのコンピューティングデバイス２２を提供する。加えて、少なくとも１つの実施形態において、少なくとも１つのデータ記憶装置２８が、コンピューティングデバイス２２と通信し、少なくとも１つの生体信号センサ２４及びモーションセンサ２６によって得られた前記データを、さらに後述する或る他のデータと共に記憶するように構成される。少なくとも１つの実施形態において、コンピューティングデバイス２２とデータ記憶装置２８は同一のユニットである。
【００１４】
最初に、少なくとも１つのコンピューティングデバイス２２と、少なくとも１つの生体信号センサ２４と、少なくとも１つのモーションセンサ２６と、少なくとも１つのデータ記憶装置２８とのそれぞれの間の通信は、現在公知の又は後で開発されるどのような有線又は無線ベースの通信プロトコル（又はプロトコルの組み合わせ）を用いて達成されてもよいことに留意されたい。したがって、特定の例示的なプロトコルが例示のために本明細書で述べられる場合があるにもかかわらず、本発明は、どの１つの特定のタイプの通信プロトコルにも限定されるものとして読まれるべきではない。
【００１５】
少なくとも１つの実施形態において、生体信号センサ２４は、生体信号センサ２４が配置されたユーザの特定のバイタルに関係した選択データを得るように配置及び構成される。例えば、１つのこのような実施形態では、生体信号センサ２４は、ユーザの心臓の活動（すなわち、ユーザの心臓の電気活動）に関係したデータを得るように配置及び構成された心電図（「ＥＣＧ」）センサである。さらなる実施形態において、少なくとも１つの生体信号センサ２４は、望まれないノイズに影響されやすい場合があるユーザの所望のバイタルに関係したデータを得ることができる、現在公知の又は後で開発される、任意の他のタイプのセンサ又はセンサの組み合わせであってよい。したがって、本発明のシステム２０及び関連する方法は、例示のためにＥＣＧセンサ及びユーザの心臓の活動に関連して本明細書で説明されるが、本発明の範囲は、それに限定されるものとして読まれるべきではない。少なくとも１つの実施形態において、モーションセンサ２６は、ユーザのモーションレベル（すなわち、安静時、低レベルのモーション、中レベルのモーション、高レベルのモーションなど）に関係した選択データを得るように配置及び構成され、その目的はさらに後述される。例えば、１つのこのような実施形態では、モーションセンサ２６は、微小電気機械システム（「ＭＥＭＳ」）三軸加速度計である。さらなる実施形態において、少なくとも１つのモーションセンサ２６は、ユーザのモーションレベルに関係したデータを得ることができる、現在公知の又は後で開発される、任意の他のタイプのセンサ又はセンサの組み合わせであってよい。
【００１６】
図１を引き続き参照すると、少なくとも１つの実施形態において、少なくとも１つの生体信号センサ２４は、その内容が参照により本明細書に組み込まれる少なくとも米国特許出願公開番号２０１３／０３３８４７２で説明されるように、ユーザによって装着されている衣類又は他の装身具などの装着可能デバイス上に配置される。さらなる実施形態において、少なくとも１つの生体信号センサ２４は、現在公知の又は後で開発される任意の他の手段を用いて、ユーザと接触している状態に（又はその近位に）適切に配置されてよい。同様に、少なくとも１つのモーションセンサ２６は、現在公知の又は後で開発される任意の手段を用いて、ユーザと接触している状態に（又はその近位に）適切に配置されてよい。前述のように、少なくとも１つの実施形態において、少なくとも１つの生体信号センサ２４と少なくとも１つのモーションセンサ２６との両方がセンサアレイ２３を形成し、これは、少なくとも１つのモーションセンサ２６によって生成されたモーションデータが少なくとも１つの生体信号センサ２４のモーションを反映するような状態で配置されるべきである。少なくとも１つの実施形態において、コンピューティングデバイス２２もユーザと、例えば、ユーザの体と直接、又はユーザによって装着されている衣類又は他の装身具などの装着可能デバイスと、取り外し可能に係合することができる。少なくとも１つのこのような実施形態では、モーションセンサ２６は、コンピューティングデバイス２２内に配置される。少なくとも１つのさらなるこのような実施形態では、生体信号センサ２４は、コンピューティングデバイス２２内に配置される。代替的な実施形態では、コンピューティングデバイス２２は、どこか別の場所に、例えば、依然としてユーザの近くに、又は遠隔に、或いはさらに、分割されて、機能ユニットの一部はユーザの近くのコンピューティングデバイス２２において実装され、他のユニットはリモートコンピュータワークステーションにおいて実装される状態で配置される。
【００１７】
少なくとも１つの実施形態において、コンピューティングデバイス２２は、本明細書で説明される動的生体信号解析において適応的にノイズ定量化を行うための例示的な方法を実施するのに必要なハードウェア及びソフトウェアを含む。少なくとも１つの実施形態において、コンピューティングデバイス２２は、生体信号前処理モジュール３０、生体信号処理モジュール３２、及び生体信号解析モジュール３４を提供し、これらは、コンピューティングデバイス２２上のメモリ３８内に存在する（図１）。さらに後述するように、少なくとも１つのこのような実施形態において、生体信号前処理モジュール３０は、生体信号センサ２４によって取り込まれた生の生体信号４０を受信し、使用に不適切と判定された生体信号のいずれかの部分４０を廃棄し、適切な部分を前処理するように構成され、生体信号処理モジュール３２は、生体信号前処理モジュール３０から前処理された生体信号４０を受信し、生体信号４０から所望のバイタルを抽出し、ユーザの現在のモーションレベルを計算するように構成され、生体信号解析モジュール３４は、生体信号処理モジュール３２からバイタルを受信し、バイタルに関するノイズ記述子セット４２を計算し、ノイズ記述子セット４２及びユーザの現在のモーションレベルを用いることによって生体信号４０のノイズレベル５４を推定するように構成される。「メモリ」という用語は、ローカルハードドライブ、ソリッドステートドライブ、ＲＡＭ、フラッシュメモリ、セキュアデジタル（「ＳＤ」）カード、外部記憶装置、ネットワーク又はクラウド記憶装置、集積回路などの現在公知の又は後で開発されるあらゆるタイプの電子記憶媒体（又は記憶媒体の組み合わせ）を含むように意図されることに留意されたい。さらに、コンピューティングデバイス２２の種々のコンポーネントは、単一のコンピューティングデバイス２２上のメモリ内に存在してよく、又は互いに通信する２つ以上のコンピューティングデバイス２２上に別々に存在してよい。動的生体信号解析において適応的にノイズ定量化を行うための例示的な方法は、上記のモジュール３０〜３４によって実施されるものとして本明細書で説明されるが、さらなる実施形態において、後述する機能がより多くの又はより少ないモジュールによって実施され得ることにも留意されたい。したがって、本発明のシステム２０は、本明細書で説明される特定のモジュール３０〜３４及びそれらのそれぞれの機能に限定されるものとして読まれるべきではなく、むしろ、本明細書で説明される方法を概して扱うものとして読まれるべきである。
【００１８】
使用中に、少なくとも１つの実施形態において、システム２０は、本明細書ではノイズレベル５４と呼ばれる、生体信号センサ２４によって取り込まれた生体信号４０を汚染するノイズの量を推定及び定量化するための方法を使用し、これは、生体信号４０は、非常に冗長となる又は繰返しが多くなる傾向があるいくつかの繰返しイベントであるバイタルを含むが、ノイズはランダムとなる傾向があることを利用する。ノイズは、本質的にランダムであり、主に、ユーザの体に対するその位置からの生体信号センサ２４の僅かな速い変位によって誘起される。これらの変位は、ユーザの運動によって生じる。さらに、同様のモーションレベル及び同様の運動は同様のノイズ挙動を有する傾向があり、これにより、システム２０は、異なるモーションステージを識別及び区別し、次いで、より良好なノイズ推定を行うことが可能である。
【００１９】
少なくとも１つの実施形態において、図２の例示的な概略図及び図３の流れ図に示されるように、モーション信号４４が、モーションセンサ２６によって取り込まれ、コンピューティングデバイス２２に送信され（３０２）、そこでユーザ、すなわち、少なくともモーションセンサ２６及び生体信号センサ２４の装着者の現在のモーションステージ４６を判定するべく分析される（３０４）。前述のように、少なくとも１つの実施形態において、モーションセンサ２６は、ユーザのモーションレベル（すなわち、安静時、低レベルのモーション、中レベルのモーション、高レベルのモーションなど）に関係した選択データを得るように配置及び構成される。したがって、少なくとも１つの実施形態において、ユーザのモーションステージ４６は、少なくともユーザのモーションレベルからなる。少なくとも１つの実施形態において、コンピューティングデバイス２２は、モーション信号４４の必要な部分を抽出し、それらを、モーションステージ４６を判定する分類関数に受け渡す。少なくとも１つのこのような実施形態において、モーションセンサ２６がＭＥＭＳ三軸加速度計である場合、モーションセンサ２６は、直交するＸ、Ｙ、及びＺ方向のそれぞれの加速度を測定し、通信プロトコルを介してコンピューティングデバイス２２にデータを送信する。データを用いて、コンピューティングデバイス２２は、限定はされないが、モーションインデックス（「ＭＩ」）又は中央絶対偏差（「ＭＡＤ」）を含む種々のパラメータを計算することができる。もう少し詳細には、少なくとも１つの実施形態において、モーションインデックスは、次式を用いる、重力の影響を除いた（すなわち、加速度測定成分のハイパスフィルタリング）Ｘ、Ｙ、Ｚベクトルの係数の１秒窓積分である：
【数１】
2018525187.tif 000003
関連して、少なくとも１つの実施形態において、平均絶対偏差は、次式を用いて導出される：
【数２】
2018525187.tif 000004
【００２０】
したがって、少なくとも１つの実施形態において、モーションステージ４６を判定するのに用いられる分類関数は、所定の時間間隔で計算された前のパラメータに依存する閾値関数である。
【００２１】
図３を引き続き参照すると、少なくとも１つの実施形態において、生体信号４０が、生体信号センサ２４によって取り込まれ、同じくコンピューティングデバイス２２に送信され、そこでユーザの関連するバイタルを判定及び取得するべく分析される（３０６）。少なくとも１つのこのような実施形態において、生体信号センサ２４がＥＣＧセンサなどである場合、生体信号センサ２４は、生のＥＣＧデータを感知し、通信プロトコルを介してコンピューティングデバイス２２に送信する。前述のように、少なくとも１つの実施形態において、生体信号４０は、最初に生体信号前処理モジュール３０によって受信され、そこで使用に不適切（すなわち、飽和しているなど）と判定された生体信号４０のいずれかの部分が廃棄される（３０８）。加えて、生体信号４０のいずれかの残りの部分が、いずれかのベースライン、パワーライン、又は高周波干渉をフィルタリングすることによって改良される（３１０）。
【００２２】
次いで、生体信号処理モジュール３２が、前処理された生体信号４０から所望のバイタルを抽出する（３１２）。少なくとも１つの実施形態において、生体信号センサ２４がＥＣＧセンサなどである場合、バイタルは、生体信号処理モジュール３２がそれを検出するように構成される、心臓の鼓動である。
【００２３】
次いで、生体信号解析モジュール３４が、生体信号処理モジュール３２によって抽出された各バイタルに関するノイズ記述子セット４２を計算する。少なくとも１つの実施形態において、生体信号センサ２４がＥＣＧセンサなどである場合、生体信号解析モジュール３４は、心臓の各鼓動に関するノイズ記述子セット４２を取得し、これは、対応するモーションステージ４６と共に、鼓動のノイズレベル５４を推定するのに用いられることになる。もう少し詳細には、少なくとも１つの実施形態において、各ノイズ記述子セット４２は、バイタルを記述するモルフォロジ記述子セット（「ＭＤＳ」）５０及びバイタルの環境状況を記述する環境記述子セット（「ＥＤＳ」）５２のうちの少なくとも１つからなる。少なくとも１つのこのような実施形態において、生体信号解析モジュール３４は、モルフォロジ記述子セット５０に関係した３つのパラメータ、すなわち、最大二次導関数（ｍａｘｉｍｕｍ  ｓｅｃｏｎｄ  ｄｅｒｉｖａｔｉｖｅ）（「Ｍａｘ２Ｄｅｒ」）、導関数のゼロ交差（ｄｅｒｉｖａｔｉｖｅ  ｚｅｒｏ  ｃｒｏｓｓｅｓ）（「ＤｅｒｉｖＺＸ」）、及び導関数の非対称性（ｄｅｒｉｖａｔｉｖｅ  ａｓｙｍｍｅｔｒｙ）（「ＤｅｒｉｖＡｓｙｍ」）を計算する（３１４）。Ｍａｘ２Ｄｅｒパラメータは、絶対二次導関数の最大値である。二次導関数は生体信号４０の傾きの変動を記述するので、最大絶対値は、生体信号４０の凹凸を特徴付け、したがって、高値はスパイクなどの鋭いピークを示す。ＤｅｒｉｖＺＸパラメータは、最大絶対値の１０パーセント（１０％）より小さい絶対値をもつすべての値を無効にすることによって修正された一次導関数のゼロ交差カウントである。このパラメータは、生体信号４０にノイズが非常に多いときなどの生体信号４０が多すぎる振動を有するときに高い。ＤｅｒｉｖＡｓｙｍパラメータは、絶対導関数の後半の積分と前半の積分との比である。少なくとも１つの実施形態において、各ノイズ記述子セット４２に関して、生体信号解析モジュール３４はまた、コンピューティングデバイス２２によって用いられることになる環境記述子セット５２を計算する（３１６）。例えば、環境記述子セット５２の１つのこのようなパラメータは、生体信号４０における隣接する心臓の鼓動セグメントに関係しており、所与の心臓の鼓動が生体信号４０における比較的ノイズの多いセグメントに隣接する又は近いときに、これは通常、生体信号４０の非常にノイズの多い部分から生体信号４０の比較的クリーンな部分への遷移を示す。環境記述子セット５２の別の例示的なパラメータは、所与の心臓の鼓動の振幅に関係しており、比較的より低い振幅は、低い信号対ノイズ比を有することにより適する傾向がある。ノイズの多いバイタルはその近隣バイタルとあまり類似しておらず、ノイズの多くないバイタルはほぼ同一であるはずなので、環境記述子セット５２の別の例示的なパラメータは、バイタルと近隣バイタルとの類似性である。したがって、少なくとも１つの実施形態において、ノイズ記述子セット４２は、モルフォロジ記述子セット５０と環境記述子セット５２との両方のグループ化（すなわち、｛［ＭＤＳ］，［ＥＤＳ］｝によって構成される。
【００２４】
図２及び図３を引き続き参照すると、少なくとも１つの実施形態において、ユーザのモーションステージ４６が判定された（３０４）状態で、コンピューティングシステム２２は、入力情報としてノイズ記述子セット４２及びモーションステージ４６を用いて生体信号４０のノイズレベル５４を判定する（３２０）ために、適切なノイズ推定器５６を用いる（３１８）。もう少し詳細には、少なくとも１つのこのような実施形態において、システム２０は、特定のモーションステージ４６に関する異なるノイズ挙動をモデル化するようにそれぞれ適合及びトレーニングされている複数のノイズ推定器５６を提供し、各ノイズ推定器５６は、そのように、特定のモーションステージ４６のノイズレベル５４の推定に特化されている。加えて、ノイズ推定器５６は、好ましくは、少なくとも１つの実施形態において、生体信号４０の所与のノイズ記述子セット４２に関連したモルフォロジ記述子セット５０及び環境記述子セット５２に基づいてノイズレベル５４を推定することができるニューラルネットワークのような少なくとも１つの人工知能システムである。ノイズ推定器５６の出力は、生体信号４０に関するノイズレベル５４推定（「ＮＬ」）であり、生体信号４０に関する時間依存のノイズレベル５４関数を得ることができる。この関数は、バイタルの各個別のユニット（生体信号センサ２４がＥＣＧセンサなどである場合に心臓の鼓動など）に関して計算される一定の値を有し、ゆえに、時間依存の区分定数関数である。少なくとも１つのこのような実施形態において、関数は以下のように定義される：
【数３】
2018525187.tif 000005
【００２５】
少なくとも１つの実施形態において、生体信号４０に関するノイズレベル５４が得られると、この情報は、例えば心拍数計算法又は不整脈検出などのその後の処理アルゴリズムによって異なる方法で用いることができるように記憶される（３２２）。したがって、システム２０は、ユーザに関連したモーションデータを分析し、ユーザによって行われている身体活動と関係なく該モーションに基づいて生体信号評価を動的に適応することによって、生体信号に対してノイズ定量化方法を行うことができる。
【００２６】
本明細書の態様は、以下のようにも説明され得る：
【００２７】
１．ユーザの動的生体信号解析において適応的にノイズを定量化するための方法であって、少なくとも１つのモーションセンサによって取り込まれた少なくとも１つのモーション信号をコンピューティングデバイスに送信するステップと、モーション信号は、ユーザのモーションレベルに関係したデータを含み；少なくとも１つの生体信号センサによって取り込まれた少なくとも１つの生体信号をコンピューティングデバイスに送信するステップと、生体信号は、ユーザの少なくとも１つの選択バイタルに関係したデータを含み；少なくとも１つのモーション信号に基づいてユーザのモーションステージを判定するステップと；使用に不適切と判定された生体信号のいずれかの部分を廃棄するステップと；生体信号の残りの部分から少なくとも１つの選択バイタルを抽出するステップと；各少なくとも１つの選択バイタルに関して、モルフォロジ記述子セット及び環境記述子セットのうちの少なくとも１つを含むノイズ記述子セットを計算するステップと；ノイズ記述子セット及びユーザのモーションステージのうちの少なくとも１つに基づいて少なくとも１つの選択バイタルのノイズレベル推定を生成するステップと；少なくとも１つの選択バイタルのノイズレベル推定に基づいて生体信号のノイズレベルを計算するステップとを含む、方法。
【００２８】
２．ユーザによって装着された装着可能デバイス上に少なくとも１つのモーションセンサを配置するステップをさらに含む、実施形態１に記載の方法。
【００２９】
３．少なくとも１つのモーションセンサを配置するステップが、ユーザによって装着された装着可能デバイス上に少なくとも１つの三軸加速度計を配置するステップをさらに含む、実施形態１〜実施形態２に記載の方法。
【００３０】
４．ユーザによって装着された装着可能デバイス上に少なくとも１つの生体信号センサを配置するステップをさらに含む、実施形態１〜実施形態３に記載の方法。
【００３１】
５．少なくとも１つの生体信号センサを配置するステップが、ユーザによって装着された装着可能デバイス上に少なくとも１つの心電図センサを配置するステップをさらに含む、実施形態１〜実施形態４に記載の方法。
【００３２】
６．モーションステージに基づいて少なくとも１つのモーション信号をグループ化し、これにより、動的生体信号解析を行いながらノイズをより正確に推定、識別、及び分離することを可能にするステップをさらに含む、実施形態１〜実施形態５に記載の方法。
【００３３】
７．生体信号の残りの部分におけるいずれかのベースライン、パワーライン、及び高周波干渉を除去するステップをさらに含む、実施形態１〜実施形態６に記載の方法。
【００３４】
８．生体信号のノイズレベル推定を生成するためにユーザのモーションステージに基づいて適切なノイズ推定器を選択するステップをさらに含む、実施形態１〜実施形態７に記載の方法。
【００３５】
９．ユーザの動的生体信号解析において適応的にノイズを定量化するための方法であって、生体信号前処理モジュール、生体信号処理モジュール、及び生体信号解析モジュールのそれぞれをコンピューティングデバイス上のメモリ内に実装するステップと；少なくとも１つのモーションセンサによって取り込まれた少なくとも１つのモーション信号をコンピューティングデバイスに送信するステップと、モーション信号は、ユーザのモーションレベルに関係したデータを含み；少なくとも１つの生体信号センサによって取り込まれた少なくとも１つの生体信号をコンピューティングデバイスに送信するステップと、生体信号は、ユーザの少なくとも１つの選択バイタルに関係したデータを含み；生体信号前処理モジュールが使用に不適切と判定された生体信号のいずれかの部分を廃棄するステップと；生体信号処理モジュールが生体信号の残りの部分から少なくとも１つの選択バイタルを抽出するステップと；生体信号処理モジュールが少なくとも１つのモーション信号に基づいてユーザのモーションステージを判定するステップと；生体信号解析モジュールがモルフォロジ記述子セット及び環境記述子セットのうちの少なくとも１つを含むノイズ記述子セットを計算するステップと；生体信号解析モジュールがノイズ記述子セット及びユーザのモーションステージに基づいて少なくとも１つの選択バイタルのノイズレベル推定を生成するステップと；生体信号解析モジュールが少なくとも１つの選択バイタルのノイズレベル推定に基づいて生体信号のノイズレベルを計算するステップとを含む、方法。
【００３６】
１０．生体信号前処理モジュールが生体信号の残りの部分におけるいずれかのベースライン、パワーライン、及び高周波干渉を除去するステップをさらに含む、実施形態９に記載の方法。
【００３７】
１１．生体信号解析モジュールが生体信号のノイズレベル推定を生成するためにユーザのモーションステージに基づいて適切なノイズ推定器を選択するステップをさらに含む、実施形態９〜実施形態１０に記載の方法。
【００３８】
１２．ユーザの動的生体信号解析に用いるための適応的ノイズ定量化システムであって、ユーザの少なくとも１つの選択バイタルに関係したデータを取得し、前記データを少なくとも１つの生体信号として送信するように配置及び構成された、少なくとも１つの生体信号センサと、ユーザのモーションレベルに関係したデータを取得し、前記データを少なくとも１つのモーション信号として送信するように配置及び構成された、少なくとも１つのモーションセンサと、少なくとも１つの生体信号及びモーション信号を受信及び処理するように構成された、少なくとも１つのコンピューティングデバイスと、コンピューティングデバイス上のメモリ内に存在し、使用に不適切と判定された生体信号のいずれかの部分を廃棄するように構成された、生体信号前処理モジュールと、コンピューティングデバイス上のメモリ内に存在し、生体信号の残りの部分から少なくとも１つの選択バイタルを抽出し、少なくとも１つのモーション信号に基づいてユーザの現在のモーションステージを判定するように構成された、生体信号処理モジュールと、コンピューティングデバイス上のメモリ内に存在し、モルフォロジ記述子セット及び環境記述子セットのうちの少なくとも１つを含むノイズ記述子セットを計算するように構成された、生体信号解析モジュールとを備える、システム。
【００３９】
１３．少なくとも１つの生体信号センサが、ユーザの心臓の活動に関係したデータを得るように配置及び構成された、心電図センサである、実施形態１２に記載の適応的ノイズ定量化システム。
【００４０】
１４．少なくとも１つのモーションセンサが三軸加速度計である、実施形態１２〜実施形態１３に記載の適応的ノイズ定量化システム。
【００４１】
１５．少なくとも１つの生体信号センサが、ユーザによって装着された装着可能デバイス上に配置される、実施形態１２〜実施形態１４に記載の適応的ノイズ定量化システム。
【００４２】
１６．少なくとも１つのモーションセンサが、ユーザによって装着された装着可能デバイス上に配置される、実施形態１２〜実施形態１５に記載の適応的ノイズ定量化システム。
【００４３】
１７．少なくとも１つの生体信号センサ及び少なくとも１つのモーションセンサが少なくとも１つのセンサアレイに一体化される、実施形態１２〜実施形態１６に記載の適応的ノイズ定量化システム。
【００４４】
最後に、本明細書で図示及び説明された本発明の例示的な実施形態に関して、動的生体信号解析において適応的にノイズを定量化するためのシステム及び関連する方法が開示されることが理解されるであろう。本発明の原理は、図示及び説明された構成以外のいくつかの構成で実施され得るので、本発明は、例示的な実施形態によって多少なりとも制限されないが、動的生体信号解析において適応的にノイズを定量化するためのシステム及び関連する方法に概して向けられており、本発明の精神及び範囲から逸脱することなく、そうするために多くの形態をとることができることが理解される。本発明は、開示された構成の特定の幾何学的形状及び材料に限定されず、代わりに、本発明の精神及び範囲から逸脱することなく、現在公知の又は後で開発される他の機能的に同等の構造又は材料を伴う場合があることも当業者には分かるであろう。さらに、前述の実施形態のそれぞれの種々の特徴は、どの論理的な様態で組み合わされてもよく、本発明の範囲内に含まれることを意図される。
【００４５】
本発明の代替的な実施形態、要素、又はステップのグループ化は、限定するものとして解釈されるべきではない。各グループメンバーは、個々に又は本明細書で開示されるグループの他のメンバーとの任意の組み合わせで言及及び特許請求することができる。便宜及び／又は特許性の理由で、１つ又は複数のグループメンバーが含められる又は削除される場合があることが予想される。任意のこうした包含又は削除が行われるときに、本明細書は、付属の請求項において用いられるすべてのマーカッシュグループの記載要件を満たすものとして修正されたグループを含むとみなされる。
【００４６】
特に指定のない限り、本明細書及び請求項で用いられる特徴、アイテム、量、パラメータ、特性、項などを表わすすべての数は、すべての事例において「約」という用語によって修飾されると理解される。本明細書で用いられる場合の「約」という用語は、そのように修飾された特徴、アイテム、量、パラメータ、特性、又は項が、表記された特徴、アイテム、量、パラメータ、特性、又は項の値よりも上又は下の＋又は−１０パーセントの範囲を包含することを意味する。したがって、それと反対の記載のない限り、本明細書及び付属の請求項に記載の数値パラメータは、変化し得る近似値である。最低限でも、特許請求の範囲への均等論の適用を制限する試みとしてではなく、各数値表示は、少なくとも、報告された有効数字の数を考慮して、通常の丸め技術を適用することによって解釈されるべきである。本発明の広い範囲を記載する数値範囲及び値は近似値であるにもかかわらず、具体例に記載の数値範囲及び値は可能な限り正確に報告されている。しかしながら、いずれの数値範囲又は値も、必然的に、それらのそれぞれの試験測定において見出される標準偏差に起因するある程度の誤差を本質的に含む。本明細書での値の範囲の列挙は、該範囲内に入る各々の別個の値を個々に参照する簡潔な方法として役立つことを単に意図されている。本明細書で特に指定のない限り、各々の個々の値は、個々に本明細書に列挙されたかのように本明細書に組み入れられる。
【００４７】
本発明の文脈において（特に以下の請求項の文脈において）用いられる「１つの（ａ、ａｎ）」、「その（ｔｈｅ）」という用語及びそれに類似の言及は、本明細書で特に指定のない限り又は文脈により明らかに矛盾しない限り、単数及び複数の両方を包含すると解釈される。本明細書に記載のすべての方法は、本明細書で特に指定のない限り又は特に文脈により明らかに矛盾しない限り、任意の適切な順序で実施することができる。本明細書で提供されたあらゆるすべての実施例、又は例示的な言葉（例えば「などの」）の使用は、単に本発明をより良く解明することを意図されており、別途特許請求される本発明の範囲に制限を課すものではない。本明細書にない言葉は、本発明の実施に必須のあらゆる特許請求されない要素を示すと解釈されるべきである。
【００４８】
本明細書で開示される特定の実施形態は、〜からなる又は本質的に〜からなるという言葉を用いて請求項でさらに限定される場合がある。出願時の又は補正により追加された請求項で用いられるときの「〜からなる」という移行句は、請求項に明記されないどのような要素、ステップ、又は構成要素も除外する。「本質的に〜からなる」という移行句は、請求項の範囲を、明記された材料又はステップ、及び基本的かつ新規な特徴に重要な影響を及ぼさないものに限定する。そのように特許請求される本発明の実施形態は、本明細書で本質的に又は明確に説明され、可能にされる。
【００４９】
各方法のそれぞれの要素が行われる論理コード、プログラム、モジュール、プロセス、方法、及び順序は、単なる例示であることを理解されたい。実装に応じて、それらは、本開示で他に示されない限り、どのような順序で又は並行して行われてもよい。さらに、論理コードは、どの特定のプログラミング言語にも関係しておらず又は限定されず、分散環境、非分散環境、又は多重処理環境において１つ又は複数のプロセッサ上で実行する１つ又は複数のモジュールを含む場合がある。
【００５０】
前述の方法は、集積回路チップの製作に用いられてよい。結果的に得られる集積回路チップは、生のウェーハの形態で（すなわち、複数のパッケージされていないチップを有する単一のウェーハとして）、裸のダイとして、又はパッケージされた形態で、製作者が流通させることができる。後者の場合、チップは、単一のチップパッケージ（マザーボード又は他のより高レベルのキャリアに取り付けられる導線と共に、プラスチックキャリアなど）に又はマルチチップパッケージ（表面相互接続又は埋込相互接続のいずれか又はこの両方を有するセラミックキャリアなど）にマウントされる。いずれにしても、チップは、次いで、（ａ）マザーボードなどの中間製品、又は（ｂ）最終製品、のいずれかの一部として、他のチップ、個別の回路素子、及び／又は他の信号処理デバイスと一体化される。最終製品は、玩具及び他の下位用途から、ディスプレイ、キーボード、又は他の入力デバイス、及び中央プロセッサを有する高度なコンピュータ製品に至るまでの、集積回路チップを含むどの製品とすることもできる。
【００５１】
本発明の態様が少なくとも１つの例示的な実施形態を参照して説明されているが、本発明はそれに限定されないことが当業者にははっきりと理解されるであろう。むしろ、本発明の範囲は、付属の請求項と併せてのみ解釈されるべきであり、特許請求される主題が本発明であると発明者が信じていることがここで明らかにされる。
【図１】
2018525187.tif 000006
【図２】
2018525187.tif 000007
【図３】
2018525187.tif 000008
【国際調査報告】
2018525187.tif 000009
2018525187.tif 000010
2018525187.tif 000011